(57)【要約】【課題】設置、改装及び撤去が容易な建築物を提供する。【解決手段】建築物１は、コンテナ１０，２０が並んで配置され、コンテナ１０の第１側面と、コンテナ２０の第１側面との間に隙間が設けられ、コンテナ１０、２０は、それぞれ設置面２００に固定され、隣接するコンテナ１０，２０の天井面同士の間及び側面同士の間が外カバー３０により覆われ、コンテナ１０は、水廻り設備と、少なくとも前記水廻り設備のための配管であって、前記第１側面とは反対側の第２側面の側に開口した配管と、を備える。【選択図】図１
2018071185.tif 000002
【特許請求の範囲】
【請求項１】
複数のコンテナが並んで配置され、
一の前記コンテナの第１側面と、他の前記コンテナの第１側面との間に隙間が設けられ、
複数の前記コンテナは、それぞれ設置面に固定され、
隣接する前記コンテナの天井面同士の間及び側面同士の間が外カバーにより覆われ、
一の前記コンテナは、
水廻り設備と、
少なくとも前記水廻り設備のための配管であって、前記第１側面とは反対側の第２側面の側に開口した配管と、
を備える建築物。
【請求項２】
隣接する前記コンテナの底面同士の間が内カバー部により覆われること、
を特徴とする請求項１に記載の建築物。
【請求項３】
一の前記コンテナにおいて、前記水廻り設備は、他の前記コンテナの側に開放された空間を有する調理ユニットであり、
他の前記コンテナは、前記水廻り設備を備えていない客室であること、
を特徴とする請求項１又は請求項２に記載の建築物。
【請求項４】
一の前記コンテナの前記第１側面の外縁と、前記調理ユニットの外縁とが略一致していること、
を特徴とする請求項３に記載の建築物。
【請求項５】
複数のコンテナを、一の前記コンテナの第１側面と、他の前記コンテナの前記第１側面との間に隙間を設けた状態で並べて配置する工程と、
複数の前記コンテナを、設置面に対して固定する工程と、
隣接する前記コンテナの天井面同士の間及び側面同士の間を外カバーにより覆う工程と、
を有する建築物の設置方法。
【請求項６】
請求項５に記載の建築物の設置方法により設置された建築物の改装方法であって、
隣接する前記コンテナの天井面同士の間及び側面同士の間から前記外カバーを取り外す工程と、
一の前記コンテナ又は他の前記コンテナの設置面に対する固定を解除する工程と、
固定を解除した一の前記コンテナ又は他の前記コンテナを、設置面から移動する工程と、
移動した一の前記コンテナ又は他の前記コンテナが設置されていた場所に、別のコンテナを配置し、設置面に対して固定する工程と、
隣接する前記コンテナの天井面同士の間及び側面同士の間を前記外カバーにより覆う工程と、
を有する建築物の改装方法。
【請求項７】
別の前記コンテナは、一の前記コンテナと同種のコンテナ又は他の前記コンテナと同種のコンテナであること、
を特徴とする請求項６に記載の建築物の改装方法。
【請求項８】
請求項５に記載の建築物の設置方法により設置された建築物の撤去方法であって、
隣接する前記コンテナの天井面同士の間及び側面同士の間から前記外カバーを取り外す工程と、
一の前記コンテナ及び他の前記コンテナの設置面に対する固定を解除する工程と、
一の前記コンテナ及び他の前記コンテナを、設置面から移動する工程と、
を有する建築物の撤去方法。
【発明の詳細な説明】
【技術分野】
【０００１】
本発明は、建築物の設置方法、建築物の改装方法及び建築物の撤去方法に関する。
【背景技術】
【０００２】
従来、ユニット状の構造体を２つ以上連結して、住居、店舗、事務所、作業場、倉庫等に利用できるようにした建築物が提案されている（例えば、特許文献１〜３参照）。
【先行技術文献】
【特許文献】
【０００３】
【特許文献１】特開２００８−１９０２６３号公報
【特許文献２】特開２０１０−１５９５８２号公報
【特許文献３】特開２００８−２０９５５０号公報
【発明の概要】
【発明が解決しようとする課題】
【０００４】
上記従来技術の建築物には、連結された２つの構造体の間に隙間が形成されている。この隙間は、カバー材、パネル等により塞がれている。更に、これらカバー材、パネル等は、溶接、ボルト等により構造体に締結されている。そのため、従来技術の建築物には、設置、改装及び撤去に作業の手間と時間がかかるという課題があった。
【０００５】
本発明の目的は、設置、改装及び撤去が容易な建築物、建築物の設置方法、建築物の改装方法及び建築物の撤去方法を提供することにある。
【課題を解決するための手段】
【０００６】
本発明は、複数のコンテナが並んで配置され、一の前記コンテナの第１側面と、他の前記コンテナの第１側面との間に隙間が設けられ、複数の前記コンテナは、それぞれ設置面に固定され、隣接する前記コンテナの天井面同士の間及び側面同士の間が外カバーにより覆われ、一の前記コンテナは、水廻り設備と、少なくとも前記水廻り設備のための配管であって、前記第１側面とは反対側の第２側面の側に開口した配管と、を備える建築物に関する。
【０００７】
前記建築物において、隣接する前記コンテナの底面同士の間が内カバー部により覆われることが好ましい。
【０００８】
前記建築物において、一の前記コンテナの前記水廻り設備は、他の前記コンテナの側に開放された空間を有する調理ユニットであり、他の前記コンテナは、前記水廻り設備を備えていない客室であることが好ましい。
【０００９】
前記建築物において、一の前記コンテナの前記第１側面の外縁と、前記調理ユニットの外縁とが略一致していることが好ましい。
【００１０】
また、本発明は、複数のコンテナを、一の前記コンテナの第１側面と、他の前記コンテナの前記第１側面との間に隙間を設けた状態で並べて配置する工程と、複数の前記コンテナを、設置面に対して固定する工程と、隣接する前記コンテナの天井面同士の間及び側面同士の間を外カバーにより覆う工程と、を有する建築物の設置方法に関する。
【００１１】
また、本発明は、前記建築物の設置方法により設置された建築物の改装方法であって、隣接する前記コンテナの天井面同士の間及び側面同士の間から前記外カバーを取り外す工程と、一の前記コンテナ又は他の前記コンテナの設置面に対する固定を解除する工程と、固定を解除した一の前記コンテナ又は他の前記コンテナを、設置面から移動する工程と、移動した一の前記コンテナ又は他の前記コンテナが設置されていた場所に、別のコンテナを配置し、設置面に対して固定する工程と、隣接する前記コンテナの天井面同士の間及び側面同士の間を前記外カバーにより覆う工程と、を有する建築物の改装方法に関する。
【００１２】
前記建築物の改装方法において、別の前記コンテナは、一の前記コンテナと同種のコンテナ又は他の前記コンテナと同種のコンテナであることが好ましい。
【００１３】
また、本発明は、前記建築物の設置方法により設置された建築物の撤去方法であって、隣接する前記コンテナの天井面同士の間及び側面同士の間から前記外カバーを取り外す工程と、一の前記コンテナ及び他の前記コンテナの設置面に対する固定を解除する工程と、一の前記コンテナ及び他の前記コンテナを、設置面から移動する工程と、を有する建築物の撤去方法である。
【発明の効果】
【００１４】
本発明によれば、設置、改装及び撤去が容易な建築物、建築物の設置方法、建築物の改装方法及び建築物の撤去方法を提供することができる。
【図面の簡単な説明】
【００１５】
【図１】実施形態における建築物１の構成を説明する斜視図である。
【図２】建築物１の内部を天井面から見たときの平面図である。
【図３】（Ａ）は第１コンテナ１０の側面図であり、（Ｂ）は第２コンテナ２０の断面図である。
【図４】外カバー３０の構成を説明する図である。
【図５】（Ａ）及び（Ｂ）は、コンテナの固定方法を説明する図である。
【図６】（Ａ）〜（Ｄ）は、建築物１を設置する手順を説明する斜視図である。
【図７】（Ａ）〜（Ｄ）は、建築物１を改装する手順を説明する斜視図である。
【図８】（Ａ）〜（Ｃ）は、建築物１を撤去する手順を説明する斜視図である。
【図９】（Ａ）及び（Ｂ）は、第１コンテナ１０及び第２コンテナ２０の他の構成を説明する部分側面図である。
【発明を実施するための形態】
【００１６】
以下、本発明の実施形態について説明する。なお、本明細書に添付した図面は、いずれも模式図であり、理解しやすさ等を考慮して、各部の形状、縮尺、縦横の寸法比等を、実物から変更又は誇張している。また、図面においては、部材の断面を示すハッチングを適宜に省略する。
本明細書等において、形状、幾何学的条件、これらの程度を特定する用語、例えば、「平行」、「方向」等の用語については、その用語の厳密な意味に加えて、ほぼ平行、概ねその方向とみなせる範囲を含む。
また、本実施形態では、建築物１が設置面２００に固定された状態の鉛直方向（上下方向）をＺ方向とする。また、水平方向をＸ方向及びＹ方向とする。水平方向のうち、コンテナの短手方向（奥行方向）をＸ方向とし、長手方向（幅方向）をＹ方向とする。
【００１７】
（建築物の構成）
図１は、本実施形態における建築物１の構成を説明する斜視図である。
図２は、建築物１を天井面から見たときの平面図である。図２では、外カバー３０、天板１０１の図示を省略している。図３（Ａ）は、図２の第１コンテナ１０を側面１０２から見たときの側面図である。図３（Ｂ）は、図２のａ−ａ線に相当する断面図である。図３では、天板１０１を図示している。
【００１８】
本実施形態の建築物１は、本発明に係る建築物を飲食店の店舗に適用したものである。なお、本発明に係る建築物は、飲食店の店舗に限定されない。本実施形態の建築物１は、図１に示すように、一のコンテナとしての第１コンテナ１０と、他のコンテナとしての第２コンテナ２０と、外カバー３０と、内カバー４０（図２参照）と、を備える。なお、図１においては、建築物１の奥行方向（Ｘ方向）において、図中の手前側を正面側とし、奥側を背面側とする。
【００１９】
第１コンテナ１０及び第２コンテナ２０（以下、単体又は両者を併せて「コンテナ」ともいう）は、例えば、コンテナの内部を、飲食店用に利用したものである。第１コンテナ１０は、水廻り設備としての調理ユニット１１を備えた調理室として構成されている。第１コンテナ１０は、建築物１の奥側（背面側）に配置されている。図示していないが、第１コンテナ１０には、換気用のダクトが貫通する開口部、窓等が設けられている。
【００２０】
第２コンテナ２０は、客が調理室で調理された料理等の飲食するための客室として構成されている。第２コンテナ２０は、建築物１の手前側（正面側）に配置されている。第２コンテナ２０には、出入り口２２、窓２３等が設けられている。
【００２１】
（コンテナの構成）
第１コンテナ１０及び第２コンテナ２０は、柱材、梁材（不図示）を格子状に組み合わせ、その天井面、側面（一部を除く）及び底面に、天板、側板及び底板を取り付けた構造体である。
天井面は、コンテナの最も上側であって、Ｘ−Ｙ平面と平行な面である。天井面には、天板１０１が取り付けられている。
【００２２】
側面は、コンテナにおいて、Ｙ−Ｚ平面に平行な側面と、Ｘ−Ｚ平面に平行な側面と、を有する。
Ｙ−Ｚ平面に平行な側面のうち、コンテナが建築物１として並んで配置されたときに内側となる側面（第１側面）は、開放されている。その側面には側板が取り付けられていないが、以下、この側面を、便宜上「側面１０２」ともいう。なお、側面１０２には、部分的に側板が取り付けられていてもよい。
Ｙ−Ｚ平面に平行な側面のうち、コンテナが建築物１として並んで配置されたときに外側となる側面（第１側面とは反対側の第２側面）には、側板１０３が取り付けられている。第１コンテナ１０の側板１０３は、建築物１の正面側に配置されている。第２コンテナ２０の側板１０３は、建築物１の背面側に配置されている。
【００２３】
Ｘ−Ｚ平面に平行な側面のうち、建築物１を正面側から見たときに、コンテナの幅方向（Ｙ方向）において、右側の側面には、側板１０４が取り付けられている。また、コンテナの幅方向（Ｙ方向）において、左側の側面には、側板１０５が取り付けられている。
底面は、コンテナの最も下側であって、Ｘ−Ｙ平面と平行な面である。底面には、底板１０６が取り付けられている。後述するように、底板１０６の上側には、床板１０７（図３参照）が取り付けられている。
【００２４】
第１コンテナ１０及び第２コンテナ２０は、それぞれの四隅において、設置面となる基礎２００の上に固定されている。基礎２００は、例えば、街道沿い、駅の周辺等において、店舗の設置スペースに設けられた構造物である。第１コンテナ１０及び第２コンテナ２０を基礎２００に固定する方法については、後述する。
【００２５】
図２に示すように、コンテナは、第１コンテナ１０の側面１０２と、第２コンテナ２０の側面１０２との間に隙間Ｓを設けて配置されている。コンテナ間に隙間Ｓを設けることにより、例えば、地震、強風等によりコンテナが揺れた場合でも、コンテナ同士が干渉して損傷したり、破損したりするのを抑制することができる。また、第１コンテナ１０及び第２コンテナ２０が互いに対向する位置において、後述するアンカーボルト２１０にナット２２０を締結させたり、締結を解除したりする作業が容易になる。
【００２６】
外カバー３０は、第１コンテナ１０と第２コンテナ２０との間に設けられた隙間Ｓを覆うための部材である。外カバー３０は、第１コンテナ１０及び第２コンテナ２０が基礎２００に固定された後に取り付けられる。外カバー３０の構成等については、後述する。
【００２７】
（建築物の内部構成）
図２に示すように、第１コンテナ１０の内部には、調理ユニット１１が設置されている。調理ユニット１１は、流し台、ガスコンロ等（不図示）を備えた水廻り設備である。調理ユニット１１は、図３（Ａ）に示すように、床板１０７の上に設置されている。床板１０７は、底板１０６の上側に設けられた板材である。底板１０６と床板１０７との間には、後述する各種の配管を実装するための隙間が設けられている。
【００２８】
なお、本実施形態では、第１コンテナ１０に調理ユニット１１が１つ設置された例について説明するが、調理ユニット１１は、複数設置されていてもよい。また、第１コンテナ１０の一部を客室として、第２コンテナ２０の客室と連通させてもよいし、第１コンテナ１０の内部を仕切り板で区切るように構成してもよい。
【００２９】
第１コンテナ１０において、底板１０６と床板１０７との間には、調理ユニット１１で使用される水、ガス等を供給するための配管が実装されている。本実施形態では、これら配管のうち、調理ユニット１１に水を供給する給水配管のみを図示して説明する。第１コンテナ１０の内部に実装された給水配管１２（以下、「内部配管１２」ともいう）は、底板１０６と床板１０７との間において、サポート材、固定金具等（不図示）により固定されている。なお、図示していないが、第１コンテナ１０には、使用後の水を排水する排水用配管も実装されている。また、第１コンテナ１０（及び第２コンテナ２０）には、電力用の配線も実装されているが、図示を省略する。
【００３０】
図２及び図３（Ａ）に示すように、第１コンテナ１０の側板１０３において、底板１０６と床板１０７との間に位置する部分には、開口部１０３ａが形成されている。開口部１０３ａは、第１コンテナ１０の外部に設置された給水配管１３（以下、「外部配管１３」ともいう）を、第１コンテナ１０の内部に引き込むための丸穴である。外部配管１３は、開口部１０３ａを貫通して第１コンテナ１０の内部に引き込まれ、内部配管１２の端部に取り付けられたジョイント部材１４により連結される。
【００３１】
なお、内部配管１２の端部は、後述する建築物１の設置、改装及び撤去の際の利便を考慮すると、側板１０３から突出していないことが望ましい。しかし、これに限らず、内部配管１２の端部は、側板１０３から突出していてもよい。即ち、内部配管１２は、第１コンテナ１０の内部に固定された状態で、側板１０３の側に開口していればよい。
【００３２】
また、図２に示すように、第１コンテナ１０の側面１０２の外縁と、第１コンテナ１０の内部に設置された調理ユニット１１の外縁は、略一致している。これによれば、第１コンテナ１０において、調理ユニット１１は、側面１０２から突出していないため、例えば、既に第２コンテナ２０が基礎２００に設置されている場合に、第１コンテナ１０をクレーン（不図示）で吊り下げて上方に移動させたり、下方に移動させたりした場合に、調理ユニット１１が第２コンテナ２０の側面１０２と接触しにくくなる。従って、調理ユニット１１を備えた第１コンテナ１０の移動する際の作業性を向上させることができる。なお、ここでいう「略一致」とは、上述のような効果が奏される程度に一致していることをいう。
【００３３】
一方、図２に示すように、第２コンテナ２０の内部には、客席２１（及び椅子２４）が設置されている。客席２１は、客が調理室で調理された料理等の飲食する際に使用する設備である。なお、本実施形態では、第２コンテナ２０に客席２１が一箇所設置された例について説明するが、客席２１は、複数設置されていてもよい。また、客席２１は、図２に示すようなカウンター席に限らず、テーブル席であってもよいし、仕切り板により内部が区切られていてもよい。
【００３４】
図２に示すように、第１コンテナ１０の床板１０７Ａ（１０７）と第２コンテナ２０の床板１０７Ｂ（１０７）との間は、内カバー４０により覆われている。内カバー４０は、第１コンテナ１０と第２コンテナ２０との間に設けられた隙間Ｓを覆うための板状の部材である。内カバー４０は、例えば、金属、樹脂、ゴム、木材等により形成される。第１コンテナ１０と第２コンテナ２０との間を内カバー４０で覆うことにより、建築物１の内部を人（従業員、客等）が往来する際に、コンテナ間の隙間Ｓに足を引っかけたり、足が挟まったりするのを抑制することができる。
なお、内カバー４０は、第１コンテナ１０又は第２コンテナ２０のうちのいずれか一方の床板１０７に固定してもよいし、図９に示す変形形態（後述）のように、床板１０７又は内カバー４０に位置決め部を設けてもよい。
【００３５】
（外カバー３０の構成）
図４は、外カバー３０の構成を説明する斜視図である。
先に説明したように、外カバー３０は、第１コンテナ１０と第２コンテナ２０との間に設けられた隙間Ｓ（図２参照）を覆うための部材である。外カバー３０は、図４に示すように、逆凹形に形成されている。外カバー３０は、例えば、木材、樹脂、金属等により形成される。外カバー３０を木材で構成した場合、外側の面に防水塗料を塗布したり、ゴム等の防水性を有する材料をコーティングしたりすることが好ましい。外カバー３０の幅Ｗは、第１コンテナ１０と第２コンテナ２０との間に設けられた隙間Ｓよりも数ｃｍ程度広くすることが望ましい。
【００３６】
外カバー３０は、第１コンテナ１０と第２コンテナ２０とを隙間Ｓを設けて配置した状態で、隙間Ｓを覆うように設置される。外カバー３０は、コンテナの上において、天板１０１に固定されることなく、コンテナ間に設置された状態で使用される。外カバー３０の重さは、材質、大きさにもよるが、例えば、木材で形成した場合、数十ｋｇ程度となる。そのため、コンテナ間に設置された外カバー３０は、その自重によって、横ずれが生じることはほとんどない。このように、コンテナの上に設置された外カバー３０は、天板１０１に固定されないため、外カバー３０の取り付け及び取り外しに手間と時間がかからず、簡単に行うことができる。
【００３７】
なお、外カバー３０及び内カバー４０は、第１コンテナ１０と第２コンテナ２０との間の固定強度の向上に実質的に寄与していない。ここで、「実質的に寄与していない」とは、外カバー３０及び内カバー４０が、第１コンテナ１０と第２コンテナ２０との間において、両者を物理的に結び付けるような作用を直接的且つ間接的に生じさせていないことをいう。
【００３８】
（コンテナの固定）
図５（Ａ）及び（Ｂ）は、コンテナの固定方法を説明する図である。図５は、図１のａ部に対応する。図５（Ａ）は、コンテナを基礎２００に固定する手順を説明する図である。図５（Ｂ）は、コンテナを基礎２００に固定した状態を説明する図である。なお、図５では、第２コンテナ２０を例として説明するが、第１コンテナ１０も同様に構成されているため、同様の手順で基礎２００に固定することができる。
【００３９】
第２コンテナ２０の四隅には、それぞれ柱材１１０が設けられている。その柱材１１０の端部には、図５（Ａ）に示すように、プレート１２０が接合されている。プレート１２０は、基礎２００に固定される板状の部材であり、４箇所に係合穴１２１が設けられている。係合穴１２１は、アンカーボルト２１０（後述）が挿入可能な内径を有する。基礎２００には、４本のアンカーボルト２１０が埋め込まれている。各係合穴１２１は、アンカーボルト２１０の埋め込まれた位置と平面視で一致するように形成されている。コンテナを基礎２００に固定する場合は、クレーン（不図示）により吊り下げられたコンテナを降下させながら、図５（Ａ）に示すように、コンテナのプレート１２０に設けられた係合穴１２１に、アンカーボルト２１０を挿入して、コンテナのプレート１２０を基礎２００の上に設置する。そして、プレート１２０から突出したアンカーボルト２１０にナット２２０を嵌合させ、締結する。これにより、図５（Ｂ）に示すように、第２コンテナ２０を基礎２００上に固定することができる。なお、コンテナを基礎２００から移動する場合には、アンカーボルト２１０からナット２２０を外し、クレーンにより吊り下げられたコンテナを持ち上げればよい。
【００４０】
（建築物の設置）
図６（Ａ）〜（Ｄ）は、建築物１を設置する手順を説明する図である。なお、図６〜図８では、コンテナをより簡略化して図示する。また、配管の接続、切り離し等に関する説明を省略する。
まず、図６（Ａ）に示すように、第１コンテナ１０を基礎２００に設置する。基礎２００において、第１コンテナ１０を設置する位置は、Ｘ方向の奥側（背面側）である。図示していないが、この位置には、アンカーボルト２１０（図５参照）が埋め込まれている。第１コンテナ１０を基礎２００に設置した後、アンカーボルト２１０にナット２２０（図５参照）を締結して、第１コンテナ１０を基礎２００に固定する。
【００４１】
次に、図６（Ｂ）に示すように、第２コンテナ２０を、基礎２００において、Ｘ方向の手前側（正面側）に設置する。第２コンテナ２０を基礎２００に設置した後、アンカーボルト２１０にナット２２０を締結して、第２コンテナ２０を基礎２００に固定する。
【００４２】
次に、図６（Ｃ）に示すように、第１コンテナ１０と第２コンテナ２０との間を覆うように外カバー３０を設置する。外カバー３０は、コンテナに固定する必要がないため、第１コンテナ１０と第２コンテナ２０との間に外カバー３０を設置するだけで、図６（Ｄ）に示すように、建築物１を完成させることができる。
【００４３】
（建築物の改装）
次に、設置された建築物１において、一方のコンテナを別のコンテナに入れ替えて、建築物１を部分的に改装（リニューアル）する場合について説明する。ここでは、客室として構成された第２コンテナ２０を、内装の異なる別の第２コンテナ２０Ａに入れ替える例について説明する。図７（Ａ）〜（Ｄ）は、建築物１を改装する手順を説明する図である。
【００４４】
まず、図７（Ａ）に示すように、建築物１から外カバー３０を取り外す。外カバー３０は、コンテナに固定されていないため、建築物１から容易に取り外すことができる。取り外した外カバー３０は、建築物１の近傍に仮置きしておくことにより、後の取り付け作業を速やかに行うことができる。
次に、図７（Ｂ）に示すように、建築物の手前側（正面側）に設置された第２コンテナ２０を、基礎２００から移動する。第２コンテナ２０を移動する際には、コンテナの四隅において、アンカーボルト２１０からナット２２０の締結を解除する。
【００４５】
次に、図７（Ｃ）に示すように、別の第２コンテナ２０Ａを、基礎２００において、Ｘ方向の手前側（正面側）に設置する。第２コンテナ２０Ａを基礎２００に設置した後、アンカーボルト２１０にナット２２０を締結して、第２コンテナ２０Ａを基礎２００に固定する。
【００４６】
次に、図７（Ｄ）に示すように、第１コンテナ１０と第２コンテナ２０との間を覆うように外カバー３０を設置する。外カバー３０は、コンテナに固定する必要がないため、第１コンテナ１０と第２コンテナ２０との間に外カバー３０を設置するだけで、客室の改装された建築物１を完成させることができる。
なお、本例では、第２コンテナ２０を、別の第２コンテナ２０Ａに入れ替える例について説明したが、第１コンテナ１０を、別の第１コンテナ１０Ａ（不図示）に入れ替える場合も、第２コンテナ２０の入れ替えと同様の手順で行うことができる。
【００４７】
（建築物の撤去）
次に、設置された建築物１を撤去する場合について説明する。図８（Ａ）〜（Ｃ）は、建築物１を撤去する手順を説明する図である。
まず、図８（Ａ）に示すように、建築物１から外カバー３０を取り外す。外カバー３０は、コンテナに固定されていないため、建築物１から容易に取り外すことができる。
【００４８】
次に、図８（Ｂ）に示すように、建築物１の手前側（正面側）に設置された第２コンテナ２０を、基礎２００から移動する。第２コンテナ２０を移動する際には、コンテナの四隅において、アンカーボルト２１０からナット２２０の締結を解除する。
【００４９】
次に、図８（Ｃ）に示すように、建築物の奥側（背面側）に設置された第１コンテナ１０を、基礎２００から移動する。第１コンテナ１０を移動する際には、コンテナの四隅において、アンカーボルト２１０からナット２２０の締結を解除する。以上の作業により、設置された建築物１を、基礎２００からすべて撤去することができる。
【００５０】
上述した本実施形態の建築物１によれば、例えば、以下のような効果を奏する。
本実施形態の建築物１において、第１コンテナ１０と第２コンテナ２０との隙間Ｓを覆う外カバー３０は、コンテナの天板１０１に固定されない。そのため、外カバー３０の取り付け及び取り外しに手間と時間がかからず、簡単に行うことができる。従って、本実施形態の建築物１は、カバー材を溶接、ボルト等により構造体に締結する従来技術の建築物に比べて、設置、改装及び撤去を容易に行うことができる。
【００５１】
本実施形態の建築物１において、調理ユニット１１に接続される内部配管１２は、側板１０３の側に開口している（図２参照）。そのため、内部配管１２が底板１０６の側に開口している場合に比べて、内部配管１２と外部配管１３とを接合したり、内部配管１２と外部配管１３とを切り離したりする作業を容易に行うことができる。従って、内部配管１２を側板１０３の側に開口させることにより、建築物１の設置、改装及び撤去をより容易に行うことができる。
【００５２】
本実施形態の建築物１において、第１コンテナ１０の床板１０７と第２コンテナ２０の床板１０７との間は、内カバー４０により覆われている（図２参照）。そのため、建築物１の内部を人（従業員、客等）が往来する際に、コンテナ間の隙間Ｓに足を引っかけたり、足が挟まったりするのを抑制することができる。
【００５３】
本実施形態の建築物１において、第１コンテナ１０の側面１０２の外縁と、第１コンテナ１０の内部に設置された調理ユニット１１の外縁は、略一致している。これによれば、第１コンテナ１０の調理ユニット１１は、側面１０２から突出していないため、第１コンテナ１０をクレーン（不図示）により上方に移動させたり、下方に移動させたりした場合に、調理ユニット１１が第２コンテナ２０の側面１０２と接触しにくくなる。従って、調理ユニット１１を備えた第１コンテナ１０の移動する際の作業性を向上させることができる。
【００５４】
以上、本発明の実施形態について説明したが、本発明は、前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、実施形態に記載したものに限定されない。なお、上述の実施形態及び後述する変形形態は、適宜組み合わせて用いることもできるが、詳細な説明は省略する。
【００５５】
（変形形態）
本実施形態において、外カバー３０は、一体に形成してもよいし、複数の部材を接合してもよい。複数の部材を接合する場合に、各部を同一の材料により形成してもよいし、異なる材料により形成してもよい。例えば、天板１０１側をプラスチックとし、側板１０４、１０５側を木材としてもよい。また、外カバー３０に通気用又は採光用の開口部を設けてもよい。その場合に、通気用の開口部には金網等を設け、採光用の開口部にはガラス等の透明な板材を嵌め込むことが望ましい。
本実施形態において、側板１０３〜１０５の内側又は外側、或いは両側に断熱パネルを取り付けてもよい。
【００５６】
本実施形態において、第１コンテナ１０と第２コンテナ２０に、外カバー３０と係合する部分を設けた構成としてもよい。図９（Ａ）及び（Ｂ）は、第１コンテナ１０及び第２コンテナ２０の他の構成を説明する図である。図９（Ａ）は、位置決め部１０ａ，２０ａをコンテナ側に設けた構成を説明する図である。図９（Ｂ）は、位置決め部１０ａ，２０ａを外カバー３０側に設けた構成を説明する図である。なお、図９では、コンテナに設置された外カバー３０の周辺部のみを図示する。
【００５７】
図９（Ａ）に示すように、本形態の第１コンテナ１０は、天板１０１の長手方向（Ｙ方向）の端部に、外カバー３０と係合する位置決め部１０ａが設けられている。図９（Ａ）では、各コンテナの側板１０４側の端部に設けられた位置決め部１０ａのみを図示しているが、反対側となる側板１０５側の端部にも図示していない位置決め部１０ａが設けられている。
【００５８】
また、本形態の第２コンテナ２０は、天板１０１の長手方向（Ｙ方向）の端部に、外カバー３０と係合する位置決め部２０ａが設けられている。図９（Ａ）では、各コンテナの側板１０４側の端部に設けられた位置決め部２０ａのみを図示しているが、反対側となる側板１０５側の端部にも図示していない位置決め部２０ａが設けられている。
【００５９】
本形態によれば、第１コンテナ１０と第２コンテナ２０との間に外カバー３０を設置すると、各コンテナに設けられた位置決め部１０ａ及び２０ａが、外カバー３０の側面と係合する。そのため、外カバー３０を固定しなくても、設置した外カバー３０のＸ方向の横ずれをより効果的に抑制することができる。なお、位置決め部１０ａ，２０ａを設ける位置は、外カバー３０が設置された場合に、外カバー３０の側面と係合できる位置であればよく、天板１０１の長手方向の端部に限定されない。
また、位置決め部１０ａ，２０ａは、コンテナ側ではなく、図９（Ｂ）に示すように、外カバー３０の内側に設けてもよい。
【００６０】
本実施形態では、第１コンテナ１０の水廻り設備として調理ユニット１１を例として説明したが、水廻り設備は、これに限らず、トイレ、洗面所等であってもよい。また、建築物１を住居、事務所等として構成する場合、第１コンテナ１０の水廻り設備として、トイレ、洗面所のほかに、浴室等を含む構成としてもよい。
【００６１】
建築物は、３つのコンテナが並んで配置されて構成されていてもよい。その場合、隣接する２つのコンテナをそれぞれ、「一のコンテナ」及び「他のコンテナ」と捉えることにする。「一のコンテナの第１側面」及び「他のコンテナの第１側面」は、コンテナの短手方向の側面であってもよい。
【符号の説明】
【００６２】
１：建築物、１０：第１コンテナ、１１：調理ユニット、１２：内部配管、２０：第２コンテナ、３０：外カバー、４０：内カバー、２００：設置面
【図１】
2018071185.tif 000003
【図２】
2018071185.tif 000004
【図３】
2018071185.tif 000005
【図４】
2018071185.tif 000006
【図５】
2018071185.tif 000007
【図６】
2018071185.tif 000008
【図７】
2018071185.tif 000009
【図８】
2018071185.tif 000010
【図９】
2018071185.tif 000011